(57)【要約】【課題】片手で操作できるミシン目等から切断可能なロールペーパー用ホルダーである。【解決手段】ロールペーパーホルダーの上部カバー（２）に形成の排出口（２０）を挿通し、指でペーパー（２８）を狭着して引っ張ったとき、上部カバー（２）でロールペーパー（Ｐ）の回転を阻止すると共に、伸長力が生ずるペーパーの幅（Ｗ）に対応する排出口の下縁部（２０ａ）の形状を１枚のペーパー（２８）が移動しない形状にする。【選択図】図２
2012005515.tif 000002
【特許請求の範囲】
【請求項１】
壁材に固定される基板の左右両端部に一対の支持板 が設けられ、これら支持板に横架されている支持軸に回転可能に取り付けのロールペーパーを備え、
前記両支持板の間に横架されている揺動軸に揺動可能に取り付けられていて、前記ロールペーパーに接触可能な上部カバーを有するロールペーパーホルダーであって、
前記上部カバーの前方側に前記ロールペーパーを挿通する排出口を形成し、
指で狭着されたペーパーを引っ張ったときに、伸長力が生ずるペーパーの幅（Ｗ）に対応する前記排出口の下縁部の形状を、その下縁部において１枚のペーパーが左右方向に移動しない形状にすることを特徴とするロールペーパーホルダー。
【請求項２】
請求項１のロールペーパーホルダーであって、
排出口の下縁部の形状を、その排出口の左端部から、又は、右端部から、排出口の左右方向の中心に向けて、傾斜角度θで、凸状の弓形状又は直線状に順次高くなるように形成されていることを特徴とするロールペーパーホルダー。
【請求項３】
請求項１又は請求項２のロールペーパーホルダーであって、
排出口の中心における下縁部の形状を、凸状の弓形状であることを特徴とするロールペーパーホルダー。
【請求項４】
請求項１のロールペーパーホルダーであって、
排出口の下縁部の左端部から右端部における全体の形状を凸状の弓形状であることを特徴とするロールペーパーホルダー。
【請求項５】
壁材に固定される基板の左右両端部に一対の支持板が設けられ、これら支持板に横架されている支持軸に回転可能に取り付けのロールペーパーを備え、前記両支持板の間に横架されている揺動軸に揺動可能に取り付けられていて、前記ロールペーパーに接触可能な上部カバーを有し、
指で狭着されたペーパーを引っ張ったときに、伸長力が生ずるペーパーの幅（Ｗ）に対応する前記排出口の下縁部を１枚のペーパーが移動しない形状であり、
上部カバーの前方側に形成の排出口を挿通のペーパーを指で狭着して一気に強く引っ張ることによって、ミシン目から破断するロールペーパーの破断方法であって、
（ａ）必要長さのペーパーを排出口から引っ張り出して、ペーパーを狭着の指と排出口の下縁部との間に１個のミシン目があるように調整し、
（ｂ）指で狭着のペーパーを一気に強く引っ張ることによって、上部カバーの押圧によってロールペーパーの回転は阻止され、
（ｃ）伸長力が生ずるペーパーの幅（Ｗ）に対応する前記排出口の下縁部において、１枚のペーパーが前記下縁部において左右方向に移動しない状態で引っ張ってミシン目で破断する方法。
【発明の詳細な説明】
【技術分野】
【０００１】
本発明は、片手で操作できるミシン目等から破断可能なロールペーパー用ホルダー及びこのホルダーを使用してペーパーを破断する方法に関する。
【背景技術】
【０００２】
従来、特開２００６−１４１９２１号公報には、自由回転するロールペーパーが取り付けてあるホルダーにおいて、そのロール紙の上を覆うカバーに排出口が設けてあると共に、そのカバーの先端部に切断刃が設けてある。そして、その排出口にロール紙を挿通させて、片手でロール紙を引っ張ると前記切断刃で切断される。
また、切断刃を備える同様なホルダーとして、特開２００４−３２９８１５号公報、特開２００５−３１２８７４号公報、特開２００５−２７９１５６号公報がある。
また、特開２００６−１４１９７４号公報には、切断刃を備えていなくて、蓋の前端を刃形にして、ロールペーパーを引っ張ると、蓋がロールペーパーを押さえて、前記刃形と指で狭着のペーパーの間に形成されているミシン目で破断可能なホルダーが開示してある。
【０００３】
【特許文献１】特開２００６−１４１９２１号公報
【特許文献２】特開２００４−３２９８１５号公報
【特許文献３】特開２００５−３１２８７４号公報
【特許文献４】特開２００５−２７９１５６号公報
【特許文献５】特開２００６−１４１９７４号公報
【発明の概要】
【発明が解決しようとする課題】
【０００４】
前記の従来の特許文献１、特許文献２、特許文献３、特許文献４に開示のホルダーは、ロール紙を破断するに当たって、片手で操作が可能であるが、切断刃を備えている。
また、特許文献５に開示のホルダーは、切断刃を備えていないが、ロールペーパーを引っ張ると、蓋の前端の刃形で支持されて,ペーパーに形成のミシン目から破断される。しかし、この公報の発明では、蓋の前端を刃形に形成する必要があるし、且つ、ペーパーを片方の指で挟着して、ペーパーを引っ張るが、ほぼ長手方向と平行に引っ張る場合には、ミシン目から破断される。しかし、このように引っ張ることは稀であり、多くの場合、少し右下方向、あるいは、左下方向の傾斜状に引っ張ることが多い。
【０００５】
このように、傾斜下方向にペーパーを引っ張ると、ミシン目から破断されずに、指で狭着のペーパー部等で破断することがある。
これは、斜め下方向にペーパーを引っ張ると、蓋の前端に形成の刃形の個所で、ペーパーが中心方向にずれて、ペーパーが波状になり、刃形の支持個所とミシン目の端部が、指で狭着の個所より強くなるため、ミシン目で破断されないことが生ずる。
【０００６】
そこで、本願発明は、片手で、ペーパーを引っ張ることによって、ミシン目が形成されているロールペーパーに対しては、切断刃を備えることなく、ミシン目で破断できるホルダーを提供すると共に、そのホルダーを使用してミシン目から破断する破断方法を提供する。
【課題を解決するための手段】
【０００７】
請求項１のロールペーパーホルダーは、壁材に固定される基板の左右両端部に一対の支持板 が設けられ、これら支持板に横架されている支持軸に回転可能に取り付けられているロールペーパーを備えている。また、このロールペーパーホルダーは、前記両支持板の間に横架されている揺動軸に揺動可能に取り付けられていて、前記ロールペーパーに接触可能な上部カバーを有している。
また、前記上部カバーの前方側には、前記ロールペーパーを挿通する排出口が形成されている。そして、指で狭着されたペーパーを引っ張ったときに、伸長力が生ずるペーパーの幅（Ｗ）に対応する前記排出口の下縁部の形状を、１枚のペーパーが前記下縁部において左右方向に移動しない形状である。
即ち、指で狭着されたペーパーを引っ張ると、伸長力が生ずるペーパーの幅（Ｗ）に対応する排出口の下縁部では、１枚のペーパーが左右方向(ペーパーの長手方向と垂直方向)に移動することがないので、下縁部で１枚のペーパーで支持され、指における伸長力と同じであり、下縁部と指との間の弱いミシン目が破断される。
【０００８】
また、請求項２のロールペーパーホルダーは、排出口の下縁部の形状を、その排出口の左端部から、又は、右端部から、排出口の左右方向の中心に向けて、傾斜角度θで、凸状の弓形状又は直線状に順次高くなるように形成されている。
このように、排出口の端部からの下縁部の形状が、傾斜角度θで、凸状の弓形状又は直線状に順次高くなる形成されているので、ペーパーの端部を指で狭着して、右下あるいは左下方向に引っ張っても、下縁部における幅（Ｗ）のペーパーは移動することなく、下縁部で１枚のペーパーで支持され、指における伸長力と同じであり、下縁部と指との間の弱いミシン目が破断される。
【０００９】
請求項３のロールペーパーホルダーは、排出口の左右方向の中心におけるペーパー幅（Ｗ）の下縁部の形状を、凸状の弓形状である。このような形状によって、ペーパーのほぼ中心を指で狭着して、ペーパーの長手方向とほぼ平行に、一気に強く引っ張っても、排出口の下縁部におけるペーパーは左右方向に移動することなく、下縁部で１枚のペーパーで支持され、その支持力は指における伸長力と同じであり、下縁部と指との間の弱いミシン目が破断される。
【００１０】
請求項４のロールペーパーホルダーは、排出口の下縁部の左端部から右端部における全体の形状が凸状の弓形状である。このような形状の下縁部であると、ペーパーを指で狭着して、右下方向、左下方向及びほぼペーパーの長手方向と平行に、一気に強く引っ張っても、排出口の下縁部におけるペーパーは左右方向に移動することなく、下縁部で１枚のペーパーで支持され、その支持力は指における伸長力と同じであり、下縁部と指との間の弱いミシン目が破断される。
【００１１】
請求項５の発明は、方法の発明であり、ロールペーパーホルダには、壁材に固定される基板の左右両端部に一対の支持板が設けられ、これら支持板に横架されている支持軸に回転可能に取り付けのロールペーパーを備え、前記両支持板の間に横架されている揺動軸に揺動可能に取り付けられていて、前記ロールペーパーに接触可能な上部カバーを有している。また、指でペーパーを狭着して引っ張ったときに、伸長力が生ずるペーパーの幅（Ｗ）に対応する前記排出口の下縁部は、１枚のペーパーが移動しない、例えば、凸状の弓状である。
（ａ）上部カバーの前方側に形成の排出口からロールペーパーを挿通し、必要長さのペーパーを引っ張り出して、ペーパーを狭着の指と排出口の下縁部との間に１個のミシン目があるように調整する。
（ｂ）指で狭着のペーパーを一気に強く引っ張ることによって、上部カバーの押圧によってロールペーパーの回転は阻止される。
（ｃ）また、指でペーパーを狭着して引っ張ったときには、伸長力が生ずるペーパーの幅（Ｗ）に対応する前記排出口の下縁部の形状によって、１枚のペーパーは左右の移動ができないので、下縁部は１枚のペーパーで支持され、その支持力は指における伸長力と同じとなり、下縁部と指との間の弱いミシン目で破断される。
【発明の効果】
【００１２】
本願発明は、ミシン目があるロールペーパーに対しては、片手でペーパーを引っ張ることによって、ミシン目から破断することができ、ミシン目がないロールペーパーに対しては、切断刃で切断することができる。
【図面の簡単な説明】
【００１３】
【図１】ロールペーパーホルダーの全体図である。
【図２】上部カバーに形成の排出口の平面図である。
【図３】排出口から排出のペーパーをミシン目で破断する作用図である。
【図４】上部カバーに形成の他の形状の排出口の平面図である。
【図５】上部カバーに形成の種々の形状の排出口とペーパーとの関係を示す図である。
【発明を実施するための形態】
【００１４】
以下、本発明の実施の形態を図面に基づいて説明する。
図１は、ロールペーパー（例えば、トイレットペーパー）Ｐ が装着されている既存のロールペーパー用ホルダー１ であり、上部カバー２には、本発明に係る後記で詳述する排出口２０が形成されている。尚、この上部カバー２の材質は合成樹脂、金属等であり、厚みは強度との関係で選定すればよい。
【００１５】
ロールペーパー用ホルダー１は、壁材に固定される基板４の左右両端部に一対の支持板５、６ が設けられている。これら支持板５，６の前端部における内面対向位置には、凹部（ 図示せず）が形成され、これら凹部間に両端部に係合突起を有する支持軸７が着脱自由に横架されている。この支持軸７にはロールペーパーＰの中空芯が挿入されていて、ロールペーパーＰが回転可能になっている。
従って、新たなロールペーパーＰに取り替えるときには、前記支持軸７を凹部から取り外し、支持軸７を新たなロールペーパーＰの中空芯に挿入した後に、再度、支持軸７を凹部に装着する。また、前記ロールペーパーＰには、適宜の間隔で、破断しやすいようにミシン目が形成されていて、ペーパーの両端で引っ張ったとき、そのミシン目３０で破断するように作成されている。
【００１６】
また、両支持板５，６の間には、前記基板４の上部に揺動軸８が設けられていて、その揺動軸８には、上部カバー２が揺動可能に取り付けられている。そして、この上部カバー２の端部は、常時、その上部カバー２の重みで、ロールペーパーＰと接触している。
【００１７】
前記上部カバー２の前側には、ロールペーパーＰの幅よりやや広い上縁部２０ｂと下縁部２０ａを備える略四角状の排出口２０が形成されている。
この排出口２０の下縁部２０ａの形状は、後記で詳述するが、図２に示すように、左端部２３ａと右端部２３ｂから、排出口２０の左右方向の中心に向けて、傾斜角度θで、凸状の円滑な弓形状に順次高くなるように形成されている。
尚、前記左端部２３ａ、右端部２３ｂから凸状の弓形状に替えて直線状に順次高くなるように形成し、排出口２０の左右方向の中心における幅Ｗの下縁部２０ａを、凸状の弓形状に形成してもよい。
即ち、前記下縁部２０ａの形状は、ペーパーを引っ張ったとき、伸張されるペーパーの幅Ｗにおいて、１枚のペーパーで下縁部２０ａに密着されて支持される形状であるが、図２に示す排出口２０の形状は、後記で詳述するが、必ずしも左右対称である形状に限定されない。
【００１８】
次に、前記構成のロールペーパー用ホルダー１を使用して、ロールペーパーに形成のミシン目３０から破断する操作について、排出口２０からのペーパー２８をミシン目３０で破断する作用を示す図３を参照して説明する。
先ず、時計方向に巻かれたロールペーパーＰの先端部は、下から上に向けて、前記排出口２０を挿通させる。そして、この状態が、通常の待機状態である。
【００１９】
そして、片方の手の指先(例えば、親指と人差し指)等でペーパー２８を狭着して、使用する長さまで引っ張り出して、破断したい個所の１個のミシン目３０が、その指先(図示略)と前記排出口２０の下縁部２０ａの間に来るまでロールペーパーを回転させて調整する。
【００２０】
次に、片手の指先で狭着されたペーパー２８を、例えば、排出口２０の左端部２３ａと右端部２３ｂを結ぶ直線に対する垂直線より中心側に偏心された引っ張り角α（図３）でペーパー２８を引っ張ると、先ず、上部カバー２は下方向に押圧されて、ロールペーパーＰの回転は阻止される。また、ペーパー２８には伸張力Ｆ１が作用する幅Ｗが形成される。
【００２１】
尚、下縁部２０ａの形状が、従来のように、排出されるペーパー２８の長手方向と垂直な直線であると、ペーパー２８は中心方向に引っ張られて、中心方向（右方向）に寄って波形状（ペーパーの長手方向の断面が凹凸状）になり、下縁部に密着された１枚のペーパーに比べて、下縁部２０ａにおけるペーパーの支持力は強くなると共に、そのペーパー２８に形成されているミシン目３０の箇所においても波状態になって、ミシン目３０の個所も強くなる。即ち、ペーパーが波状になると、同じ長さのペーパーの幅は短くなり、下縁部２０ａとミシン目３０におけるペーパーの単位長さ当たりにかかる伸長力が、指で狭着された個所に比して大きくなる。
その結果、下縁部２０ａでの支持個所と指での狭着個所との間におけるペーパーの最も弱い個所は、ペーパー２８のミシン目３０ではなくなり、他の個所、例えば、指で狭着の個所となり、ミシン目以外の個所で破断する場合がある。
【００２２】
しかし、図３に示すように、排出口２０の左端部２３ａからの下縁部２０ａの形状が、排出口２０の左右方向の中心に向けて、傾斜角度θで、凸状の弓形状又は直線状に、順次高くなるように形成されていると、ペーパー２８の左縁部は中心方向（ペーパーの長手方向と垂直の右方向）に移動することなく、伸長力が作用するペーパーの幅（Ｗ）の下縁部２０ａ（Ｘ）では、下縁部２０ａに密着された１枚のペーパーで支持された状態となる。この結果、伸長力が作用するペーパーの支持力は、下縁部２０ａと指の狭着個所はほぼ同じとなり、ミシン目３０が形成されている個所が最も弱い個所となり、そのミシン目３０で破断される確実性が増す。
【００２３】
尚、前記はペーパー２８の左側を片方の指で狭着して、図３に示す右下方向に、強く、一気に引っ張る操作であるが、ペーパー２８の右側を指で狭着して、図３の右下方向とは反対の左下方向に、強く、一気に引っ張ると、指先と右端部の下縁部２０ａの間で伸張力が作用し、その結果、最も弱いミシン目３０の右縁部から左縁部に向けて破断される確実性が増す。
【００２４】
以上のように、片手で、ペーパー２８の左側又は右側を指で狭着して、右下方向、あるいは、左下方向に強く、一気に引っ張ると、上部カバー２の下方向の押圧によって、ロールペーパーＰは回転が阻止され、ペーパー２８に伸長力が作用する幅（Ｗ）における下縁部２０ａでは、ペーパーが左右方向に移動せず、１枚のペーパーは下縁部２０ａに密着状態で支持され、ペーパー２８を狭着の指先と下縁部２０ａとはほぼ同じ支持力が作用し、その間における最も弱いミシン目３０の縁部から破断される確実性が増す。
【００２５】
次に、指先でペーパーのほぼ中心をもって、ペーパー２８の排出方向に、即ち、排出口２０の左端部２３ａと右端部２３ｂを結ぶ直線に対して、ほぼ垂直方向に、強く、一気に引っ張る場合について説明する。
この場合にも、上部カバー２の下方向の押圧によって、ロールペーパーＰの回転は阻止され、指先で狭着されたペーパーの幅（Ｗ）に伸張力（Ｆ２）が作用する。
その伸長力が作用する下縁部２０ａ（Ｙ）の形状は、図２に示す凸状の弓形状であり、ペーパ２８を、ペーパー２８の排出方向と平行の他に、ずれた左右方向に引っ張っても、伸長力が作用するペーパーの幅(Ｗ)における下縁部２０ａにおいて、ペーパーは左右方向に移動しないので、ペーパー２８が波状態（ペーパーの長手方向の断面が凹凸状）にならず、下縁部２０ａでは密着された１枚のペーパー状態で支持されるので、ペーパーの最も弱いミシン目から破断される確実性が増す。
【００２６】
以上のように、下縁部２０ａの全体の形状が、図２に示すように、左端部２３ａから右端部２３ｂにわたって凸状の弓形状であり、この形状においては、指で狭着されたペーパー２８を右下方向に、又は左下方向に、更には、下方向に、片手でペーパーを引っ張ると、ミシン目３０から破断することができる。
【００２７】
尚、下縁部２０ａの全体の形状を特定する必要はなく、指で狭着されたペーパー２８を右下方向にのみ引っ張ることを条件にするならば、あるいは、そのように伸長力が作用するように排出口２０の形状を選定するなら、左端部２３ａからペーパーが伸長される幅Ｗにおいて、下縁部２０ａの形状を右上がりの凸状の弓形状又は直線状であればよいし、反対に、左下方向にのみ引っ張ることを条件にするならば、あるいは、そのように伸長力が作用するように排出口２０の形状を選定するなら、右端部２３ｂからペーパーが伸長される幅Ｗにおいて、左上がりの凸状の弓形状又は直線状であればよい。
更には、ペーパー２８の排出方向と平行の他に、その平行と少しずれた左右方向にのみ引っ張ることを条件とするなら、下縁部２０ａのほぼ中心においてペーパーが伸長される幅Ｗで、ペーパーが左右に移動しない凸状の弓形状に形成すればよい。
【００２８】
即ち、本願発明の下縁部２０ａの形状は、片方の手の指先で狭着のペーパー２８を引っ張ったとき、左端部２３ａから右端部２３ｂにいたる全体の形状を特定する必要はなく、伸長力が作用するペーパー２８の幅（Ｗ）の下縁部２０ａにおいてのみ、ペーパー２８が左右に移動せず、下縁部２０ａに密着された１枚のペーパー２８で、伸長力を支持するするように、例えば、凸状の弓形状等に形成すれば、ミシン目で破断される確実性が増す。
【００２９】
次に、図４に示す排出口２０は、前記図２に示す下縁部２０ａとは形状を異にする。
即ち、前記図２に示す下縁部２０ａの形状は、左端部２３ａから右端部２３ｂにおいて、円滑な弓状であり、片方の手の指先で狭着のペーパー２８を引っ張ったとき、伸長力が作用するペーパー２８の幅（Ｗ）において、その幅（Ｗ）のペーパーは下縁部２０ａで密着してペーパー２８が左右に移動しない形状である。
【００３０】
一方、図４に示すように、必ずしも、伸長力が作用するペーパー２８の幅（Ｗ）の全範囲において、ペーパーは下縁部２０ａに密着する必要はなく、密着しない個所がある形状であってもよい。
例えば、左端部２３ａから右端部２３ｂにいたる下縁部２０ａの全体の形状は凸状の弓形状であるが、その凸状の弓形状の上縁部において、凹部(Ｂ)と滑らかな凸部（Ａ）で構成の波状に形成してもよい。尚、前記凸部（Ａ）は伸長力が作用するときペーパーと密着するが、凹部(Ｂ)は密着しない。
伸長力が作用するペーパー２８の幅（Ｗ）において、凹部(Ｂ)と凸部（Ａ）が形成されて波状の下縁部２０ａであっても、ペーパー２８は左右に移動せず、且つ、その個所で破断せず、指で狭着している箇所とペーパーを支持する下縁部２０ａはほぼ同じ伸長力で支持されれば、最も弱い、ミシン目で破断される。
【００３１】
排出口２０における下縁部２０ａの形状は、少なくとも、片方の手の指先で狭着のペーパー２８を引っ張ったとき、伸長力が作用するペーパー２８の幅（Ｗ）において、そのペーパーは凸部（Ａ）で破断せず、且つ、左右に移動しなくて、１枚のペーパーで支持可能である形状であればよく、係る形状の基で片手でペーパーを引っ張ると、ミシン目で破断する可能性が高くなる。
【００３２】
尚、前記排出口２０の下縁部２０ａの形状の他に、下縁部２０ａの表面に細かい凹凸を形成してペーパーの左右移動を防止したり、或いは、図５（Ａ）に示すように、下縁部２０ａの左端部２３ａから右端部２３ｂに至る下縁部２０ａの全体の形状が、傾斜角度θの傾斜状の直線であり、この形状の下縁部２０ａにおいて、ペーパー２８を右下方向に引っ張ると、ペーパー２８の幅Ｗは下縁部２０ａで左右に移動することがないので、最も弱い、ミシン目で破断される。
また、図５(Ｂ)は、下縁部２０ａの中央にはペーパー幅Ｗより大きめの凸状部２０ｄが形成されていて、その両端には左端部２３ａから右端部２３ｂに至る直線状の直線部２０ｃ、２０ｃが形成されている。この下縁部２０ａの形状において、ペーパー２８を下方向に引っ張ると、ペーパー２８の幅Ｗは凸状部２０ｄで左右に移動することがないので、最も弱い、ミシン目で破断される。
また、図５（Ｃ）は、前記図５(Ｂ)の凸状部２０ｄの頂部に凹凸部２０ｅが形成してある形状で、ペーパー２８を下方向に引っ張ると、ペーパー２８の幅Ｗは凹凸部２０ｅで左右に移動することがないので、最も弱い、ミシン目で破断される。
以上のように、本願発明は、引っ張ったとき伸長するペーパー２８の幅Ｗに対応する下縁部２０ａにおいて、ペーパー２８が左右に移動することがない形状であればよい。
【符号の説明】
【００３３】
１   ロールペーパー用ホルダー
２    上部カバー
４    基板
５、６  支持板
７   支持軸
８    揺動軸
２０  排出口
２０ａ  下縁部
２０ｂ  上縁部
２３ａ  左端部
２３ｂ  右端部
２８  ペーパー
４０  切断刃
Ｐ   ロールペーパー
Ｗ  伸長力を受けるペーパーの幅
α   引っ張り角度
θ   傾斜角度
【図１】
2012005515.tif 000003
【図２】
2012005515.tif 000004
【図３】
2012005515.tif 000005
【図４】
2012005515.tif 000006
【図５】
2012005515.tif 000007